(57)【要約】      （修正有）【課題】電気的な接続を行うための差込端子と端子保持部材とを備える電気機器においてコストの削減を図る電気機器を提供する。【解決手段】差込端子７０は、互いに異なる方向に突出する第１接触突起７４ａと第２接触突起７４ｂとを差込方向の先端部の異なる側面に有し、第１接触突起７４ａが第２接触突起７４ｂよりも差込方向において前に配置されている。端子保持部材８０は、差込端子７０を電気的な接続を行いつつ保持する保持状態で第１接触突起７４ａに当接する平面を持つ第１平板部８１及び第２接触突起７４ｂに当接する平面を持つ第２平板部８２を有する。端子保持部材８０は、保持状態で第１接触突起７４ａと第２接触突起７４ｂの頂部を押すように第１平板部８１及び第２平板部８２が付勢され且つ差込端子７０を着脱可能に構成されている。【選択図】図１３
2019040831.tif 000002
【特許請求の範囲】
【請求項１】
互いに異なる方向に突出する第１接触突起（７４ａ）と第２接触突起（７４ｂ）とを差込方向の先端部（７４）の異なる側面に有し、前記第１接触突起が前記第２接触突起よりも差込方向において前に配置されている差込端子（７０，７１）と、
前記差込端子を電気的な接続を行いつつ保持する保持状態で前記第１接触突起に当接する平面を持つ第１平板部（８１）及び前記第２接触突起に当接する平面を持つ第２平板部（８２）を有し、前記保持状態で前記第１接触突起と前記第２接触突起の頂部を押すように前記第１平板部及び前記第２平板部が付勢され且つ前記差込端子を着脱可能に構成されている端子保持部材（８０）と
を備える、電気機器。
【請求項２】
前記端子保持部材は、前記第１平板部の平面と前記第２平板部の平面が前記保持状態で互いに実質的に平行になるように構成されている、
請求項１に記載の電気機器。
【請求項３】
前記端子保持部材は、前記第１平板部、前記第２平板部、及び前記第１平板部と前記第２平板部を繋ぐ接続部（８３）を有し、前記接続部に前記第１平板部及び前記第２平板部よりも剛性の低い低剛性部位が形成され、前記保持状態で前記低剛性部位が弾性変形することにより前記差込端子を挟む方向に前記第１平板部及び前記第２平板部に付勢するように構成されている第１金属板部材を含む、
請求項１または請求項２に記載の電気機器。
【請求項４】
前記第１平板部、前記第２平板部及び前記接続部は、同じ厚みであり、前記第１平板部及び前記第２平板部の高さよりも前記低剛性部位の高さが低いことによって前記第１平板部及び前記第２平板部よりも前記低剛性部位の剛性が低くなっている、
請求項３に記載の電気機器。
【請求項５】
前記差込端子は、平面視Ｓ字形または逆Ｓ字形の形状により設けられた前記第１接触突起と前記第２接触突起とを前記先端部に有する第２金属板部材を含む、
請求項３または請求項４に記載の電気機器。
【請求項６】
前記差込方向に延び、開口部または切欠部を持ち、前記第２金属板部材のＳ字形または逆Ｓ字形の前記先端部が第１側部から前記開口部または前記切欠部を通って反対の第２側部に覆い被さるように構成されている支持部（４１ｃ）を有するケーシング（４１）をさらに備える、
請求項５に記載の電気機器。
【請求項７】
前記ケーシングの中に収納され、前記差込端子及び前記端子保持部材を通じて供給される電圧で放電を行う放電板（４２）をさらに備え、
前記第２金属板部材は、Ｓ字形または逆Ｓ字形の前記先端部よりも長いリード部（７３）をさらに有する、
請求項６に記載の電気機器。
【請求項８】
前記放電板は、前記ケーシングの中を通って機器内部から外部に向って吹出す空気に供給する活性種を放電によって発生する、
請求項７に記載の電気機器。
【発明の詳細な説明】
【技術分野】
【０００１】
本発明は、  電気的な接続を行うための差込端子と端子保持部材とを備える電気機器に関する。
【背景技術】
【０００２】
従来から、内部ユニットを着脱できるようにするために差込端子と端子保持部材とを内部に備える電気機器が知られている。例えば、特許文献１（特開２０１３−１１３９５号公報）には、高電圧が発生する放電板に電圧を供給するために端子保持部材である固定接点部及び、差込端子である差込接点部を備える空気清浄機が開示されている。
【発明の概要】
【発明が解決しようとする課題】
【０００３】
特許文献１に記載されている差込端子と端子保持部材を備える電気機器など一般的な電気機器においては、繰り返して抜き差しがされても、差込端子と端子保持部材の接続が適切に行われるようにする必要がある。適切な接続を確保するために、通常、形状の異なる複数種類の差込端子に対しては、それぞれに対応する複数種類の端子保持部材が作製される。そして、互いに対になる差込端子と端子保持部材とを使えば良好に電気的に接続されるが、対をなさない差込端子と端子保持部材を使おうとしても接続が難しくなる。そのため、差込端子の種類の増加に対応して端子保持部材の種類が増えることになり、差込端子と端子保持部材の種類の増加に伴ってコストが増加することになる。
【０００４】
本発明の課題は、電気的な接続を行うための差込端子と端子保持部材とを備える電気機器においてコストの削減を図ることである。
【課題を解決するための手段】
【０００５】
本発明の第１観点に係る電気機器は、互いに異なる方向に突出する第１接触突起と第２接触突起とを差込方向の先端部の異なる側面に有し、第１接触突起が第２接触突起よりも差込方向において前に配置されている差込端子と、差込端子を電気的な接続を行いつつ保持する保持状態で第１接触突起に当接する平面を持つ第１平板部及び第２接触突起に当接する平面を持つ第２平板部を有し、保持状態で第１接触突起と第２接触突起の頂部を押すように第１平板部及び第２平板部が付勢され且つ差込端子を着脱可能に構成されている端子保持部材とを備える。
【０００６】
第１観点に係る電気機器によれば、差込方向において前後に配置されている第１接触突起と第２接触突起の頂部を保持状態で押すように第１平板部及び第２平板部が付勢され且つ差込端子を着脱可能に構成されていることから、第１接触突起と第２接触突起の頂部の差込方向の位置関係が異なる複数種類の差込端子に対して端子保持部材の融通性が高くなり、端子保持部材の共通化を図り易くなる。
【０００７】
本発明の第２観点に係る電気機器は、第１観点に係る電気機器において、端子保持部材は、第１平板部の平面と第２平板部の平面が保持状態で互いに実質的に平行になるように構成されている、ものである。
【０００８】
第２観点に係る電気機器によれば、第１平板部の平面と第２平板部の平面が保持状態で互いに実質的に平行になるように構成されていることから、差込方向において前後に配置されている第１接触突起と第２接触突起の頂部が多少ずれても同じような保持状態で頂部を押接することができる。
【０００９】
本発明の第３観点に係る電気機器は、第１観点または第２観点に係る電気機器において、端子保持部材は、第１平板部、第２平板部、及び第１平板部と第２平板部を繋ぐ接続部を有し、接続部に第１平板部及び第２平板部よりも剛性の低い低剛性部位が形成され、保持状態で低剛性部位が弾性変形することにより差込端子を挟む方向に第１平板部及び第２平板部に付勢するように構成されている第１金属板部材を含む、ものである。
【００１０】
第３観点に係る電気機器によれば、保持状態で低剛性部位が弾性変形することにより差込端子を挟む方向に第１平板部及び第２平板部に付勢するように構成されていることから、差込端子の保持状態における第１平板部及び第２平板部の変形を抑制できる。
【００１１】
本発明の第４観点に係る電気機器は、第３観点に係る電気機器において、第１平板部、第２平板部及び接続部は、同じ厚みであり、第１平板部及び第２平板部の高さよりも低剛性部位の高さが低いことによって第１平板部及び第２平板部よりも低剛性部位の剛性が低くなっている、ものである。
【００１２】
第４観点に係る電気機器によれば、第１平板部と第２平板部よりも低剛性の低剛性部位が形成された接続部を第１平板部と第２平板部とともに第１金属板部材により容易に実現することができる。
【００１３】
本発明の第５観点に係る電気機器は、第３観点または第４観点の電気機器において、差込端子は、平面視Ｓ字形または逆Ｓ字形の形状により設けられた第１接触突起と第２接触突起とを先端部に有する第２金属板部材を含む、ものである。
【００１４】
第５観点に係る電気機器によれば、平面視Ｓ字形または逆Ｓ字形の形状により設けられた第１接触突起と第２接触突起とを先端部に有する第２金属板部材を含み、第１接触突起及び第２接触突起の頂部の位置関係のズレに対して許容範囲が大きいので、例えばプレス成形などによって第１接触突起及び第２接触突起が簡単に成形できる。
【００１５】
本発明の第６観点に係る電気機器は、第１観点から第４観点のいずれかに係る電気機器において、差込方向に延び、開口部または切欠部を持ち、第２金属板部材のＳ字形または逆Ｓ字形の先端部が第１側部から開口部または切欠部を通って反対の第２側部に覆い被さるように構成されている支持部を有するケーシングをさらに備える、ものである。
【００１６】
第６観点に係る電気機器によれば、ケーシングの支持部では、Ｓ字形または逆Ｓ字形の第２金属板部材が第１側部から開口部を通って反対の第２側部に覆い被さるように構成されていることから、第２金属板部材の強度を下げることができる。
【００１７】
本発明の第７観点に係る電気機器は、第６観点の電気機器において、ケーシングの中に収納され、差込端子及び端子保持部材を通じて供給される電圧で放電を行う放電板をさらに備え、第２金属板部材は、Ｓ字形または逆Ｓ字形の先端部よりも長いリード部をさらに有する、ものである。
【００１８】
第７観点に係る電気機器によれば、放電板で放電を行うための高電圧が差込端子及び端子保持部材を通じて供給されるが、Ｓ字形または逆Ｓ字形の先端部よりも長いリード部によって端子保持部材を機器の奥深くに配置できる。
【００１９】
本発明の第８観点に係る電気機器は、第７観点の電気機器において、放電板は、ケーシングの中を通って機器内部から外部に向って吹出す空気に供給する活性種を放電によって発生する、ものである。
【００２０】
第８観点に係る電気機器によれば、ケーシングの中を通って機器内部から外部に向って吹出す空気に供給する活性種を放電板が放電によって発生することから、例えば送風のためのファンロータの駆動などによってケーシングが振動しても、差込方向において前後に配置されている第１接触突起と第２接触突起の頂部を保持状態で押すように第１平板部及び第２平板部が付勢されているので良好な電気的接続が保たれる。
【発明の効果】
【００２１】
本発明の第１観点または第２観点に係る電気機器では、差込端子と端子保持部材のコストの削減を図り、電気機器のコストの削減を図ることができる。
【００２２】
本発明の第３観点に係る電気機器では、端子保持部材により差込端子を安定して保持させることができる。
【００２３】
本発明の第４観点に係る電気機器では、端子保持部材についてのコスト削減が容易になる。
【００２４】
本発明の第５観点または第６観点に係る電気機器では、差込端子についてのコスト削減が容易になる。
【００２５】
本発明の第７観点に係る電気機器では、安全性を高めることができる。
【００２６】
本発明の第８観点に係る電気機器では、活性種の安定した供給を保ちつつ差込端子と端子保持部材とケーシングのコスト削減を図ることができる。
【図面の簡単な説明】
【００２７】
【図１】実施形態に係る空気清浄機の一例を示す斜視図。
【図２】空気清浄機の空気の流れを説明するための模式図。
【図３】前面パネルを外した空気清浄機を示す斜視図。
【図４】ストリーマ放電ユニットの周辺の構造を示す部分拡大断面図。
【図５】ストリーマ放電ユニットを示す分解斜視図。
【図６】ストリーマ放電ユニットを示す断面図
【図７】差込端子を示す平面図。
【図８】差込端子を示す斜視図。
【図９】差込端子の先端部及びケーシングの支持部を示す拡大断面図。
【図１０】ストリーマ放電ユニットを示す側面図。
【図１１】ケーシング本体を示す断面図。
【図１２】ストリーマ放電ユニットと本体の一部を示す断面図。
【図１３】端子保持部材に差込端子が差し込まれた保持状態を示す拡大平面図。
【図１４】端子保持部材を示す斜視図。
【図１５】端子保持部材を示す平面図。
【図１６】端子保持部材を示す正面図。
【図１７】端子保持部材を示す側面図。
【発明を実施するための形態】
【００２８】
（１）全体構成
（１−１）構成の概要
以下、本発明の実施形態に係る電気機器の一例としての空気清浄機について図を用いて説明する。図１には、空気清浄機の外観が示されている。空気清浄機１０は、本体１１と、本体１１の前側に取り付けられている前面パネル１２を備えている。空気清浄機１０には、本体１１の左右の側面１１ａに１つずつ、合計２つの吸込口１５が設けられている。また、空気清浄機１０には、本体１１の天面１１ｂに吹出口１６が設けられている。なお、前面パネル１２などの空気清浄機１０の前面側に表示部及び操作部が配置されるが、表示部及び操作部については本発明にとって重要ではないため、図１においてそれらの記載を省略するとともに以下においてもこれらの説明を省く。
【００２９】
（１−２）空気の流れ
図２には、空気清浄についての説明のために気流と気流が通過する部材とが模式的に描かれている。空気清浄機１０は、気流の上流から下流に向って順に、プレフィルタ２１、ＨＥＰＡフィルタ２２、及び脱臭フィルタ２３を備えている。また、空気清浄機１０は、脱臭フィルタ２３の下流にファンロータ３１を備えており、このファンロータ３１を備えるファンによってプレフィルタ２１とＨＥＰＡフィルタ２２と脱臭フィルタ２３を通過する気流を発生させている。
【００３０】
左右の吸込口１５から吸い込まれた室内空気の流れＡｆ１，Ａｆ２は、まずプレフィルタ２１に達する。プレフィルタ２１は、塵埃を取り除くため、樹脂製の意図からなるネットを有している。プレフィルタ２１を通過する室内空気からは、このプレフィルタ２１によって比較的大きな塵埃が取り除かれる。
【００３１】
次に、プレフィルタ２１を通過した空気の流れＡｆ３はＨＥＰＡフィルタ２２に達する。ＨＥＰＡフィルタ２２は、プリーツフィルタであり、プレフィルタ２１で集塵できない非常に細かい塵埃を取り除くことができる。例えば、いわゆるＰＭ２．５のような微小粒子状物質を捕らえることができる。
【００３２】
さらに、ＨＥＰＡフィルタ２２を通過した空気の流れＡｆ４は脱臭フィルタ２３に達する。脱臭フィルタ２３は、例えば活性炭などを含むように構成されており、ＨＥＰＡフィルタ２２を通過した空気中から例えば臭気成分、排ガス、及びホルムアルデヒドなどの室内空気汚染物質を吸着することができるように構成されている。ストリーマ放電ユニット４０から供給される活性種は、脱臭フィルタ２３に吸着された臭気成分などを分解する機能を有している。
【００３３】
なお、プレフィルタ２１とＨＥＰＡフィルタ２２が近づけて配置され、またＨＥＰＡフィルタ２２と脱臭フィルタ２３が近づけて配置されていることから、空気の流れＡｆ３，Ａｆ４は非常に短い距離を流れるものであるが、流れの存在を分かり易くするために図２では比較的長く描かれている。
【００３４】
脱臭フィルタ２３を通過した空気の流れＡｆ５は、ファンロータ３１を通過した後に２つの空気の流れＡｆ６，Ａｆ７に分けられ、空気の流れＡｆ５に含まれていた空気の大部分は空気の流れＡｆ６となって吹出口１６から室内に吹き出される。この空気の流れＡｆ６とは別に、ファンロータ３１を通過した後に分離した空気の流れＡｆ７は、ストリーマ放電ユニット４０に向かう。ストリーマ放電ユニット４０を通過する空気（図４参照）には、ストリーマ放電ユニット４０によって活性種が供給される。ストリーマ放電ユニット４０を通過した空気の流れＡｆ８は、通風路５１，５２，５３に導かれる。通風路５１，５２，５３の第１供給口６１及び第２供給口６２，６３からは、プレフィルタ２１の前すなわち室内空気の流れＡｆ１，Ａｆ２に向かう空気の流れＡｆ９，Ａｆ１０，Ａｆ１１が形成される。
【００３５】
図３には、前面パネル１２を取り外してストリーマ放電ユニット４０を露出させた状態が示されている。ユーザなどの作業者は、ストリーマ放電ユニット４０の交換またはメンテナンスなどのために、前面パネル１２を外して、ストリーマ放電ユニット４０を前に引き出して取り出すことができるように構成されている。
【００３６】
（２）詳細構成
（２−１）ストリーマ放電ユニット４０
ストリーマ放電ユニット４０は、図４、図５及び図６に示されているように、放電板４２とアース板４３とを備えている。放電板４２は、放電針４２ａを有している。ストリーマ放電ユニット４０は、放電板４２の放電針４２ａとアース板４３との間でストリーマ放電を生じさせる。このストリーマ放電によって、活性種が生じる。ストリーマ放電を発生させるためには、放電板４２とアース板４３との間に高い電位差を生じさせる必要がある。このような高い電位差を生じさせるために、アース板４３がアースされるとともに、放電板４２には高電圧が印加される。
【００３７】
ストリーマ放電を生じさせるための高電圧は危険であるから、放電板４２及びアース板４３は、図５に示されている絶縁性のケーシング４１の内部に収納されている。ケーシング４１は、例えば樹脂製のケーシング本体４１ａと、爪などによってケーシング本体４１ａに取り付けられる樹脂製のケーシング蓋４１ｂからなる。放電板４２及びアース板４３は、ネジ９２によりケーシング本体４１ａに固定される。既に説明したように、ストリーマ放電で発生した活性種をプレフィルタ２１の上流に放出するために、ケーシング４１の内部を気流が通過する。ケーシング４１の中の放電板４２とアース板４３に適切な気流を発生させられるように、ケーシング４１のケーシング本体４１ａには複数の開口部４０ａが設けられている。
【００３８】
（２−２）差込端子７０，７１
放電板４２に高電圧を印加し、アース板４３をアースするために、空気清浄機１０の本体１１の内部に設けられている電源（図示せず）との電気的な接続を行うための差込端子７０，７１が放電板４２とアース板４３に接続されている。差込端子７０，７１の放電板４２とアース板４３の接続は、ネジ９２によってケーシング本体４１ａに共締めすることによって行われている。
【００３９】
差込端子７０と差込端子７１は、リード長さが異なるだけである。そこで、図７及び図８を用いて差込端子７０について説明し、差込端子７１については説明を省略する。差込端子７０は、ネジ９２によって固定される固定部７２を有している。固定部７２には、放電板４２の固定穴４４に嵌め込まれる爪７２ａが形成されている。この爪７２ａの形成が省かれてもよく、爪７２ａの無い差込端子７０，７１を用いてもよい。真っ直ぐに延びているリード部７３の一端が固定部７２に繋がっている。このリード部７３は、固定部７２に対して実質的に直角に折れ曲がっている。なお、本発明の説明において、「実質的に」とは、製造の公差によって、例えば実質的に直角と表現した場合には正確に直角にはならないものの発明の実施には問題ない程度に直角に近い状態になっている場合も含む意味であり、例えば実質的に平行と表現する場合も同様である。
【００４０】
リード部７３の他端には、平面視においてＳ字形または逆Ｓ字形の形状を呈する先端部７４が繋がっている。Ｓ字形または逆Ｓ字形の形状にすることにより差込方向と直交する方向の差込端子７０，７１の厚みが増している。先端部７４には、Ｓ字形の形状または逆Ｓ字形によって、第１接触突起７４ａと第２接触突起７４ｂが形成されている。第１接触突起７４ａと第２接触突起７４ｂは、差込方向において前後に配置され、言い換えると差込方向にずれて配置されている。第１接触突起７４ａは、リード部７３の第１面７３ａの側に形成され、第２接触突起７４ｂは、リード部７３の第２面７３ｂの側に形成されている。リード部７３の長さは、例えば４０ｍｍ〜８０ｍｍ程度であり、リード部７３の幅は３ｍｍ〜５ｍｍ程度である。第１接触突起７４ａ及び第２接触突起７４ｂの高さは、例えば２ｍｍ〜４ｍｍ程度である。先端部７４の長さは、例えば４ｍｍ〜８ｍｍ程度である。第１接触突起７４ａと第２接触突起７４ｂのずれは、例えば２ｍｍ〜６ｍｍ程度である。差込端子７０，７１は、このような複雑な形状を持つが、錆び難い１枚のステンレス板を、例えばプレス加工することによって形成することができる。ステンレス板の厚みは例えば０．５ｍｍである。
【００４１】
リード部７３は、長く、薄く且つ幅が狭いので変形し易い。このような差込端子７０，７１を支えるため、ケーシング本体４１ａから差込方向に支持部４１ｃが延びている。図９及び図１１に示されているように、支持部４１ｃの先端部には、開口部４１ｄが形成されている。図９及び図１０に示されているように、差込端子７０，７１の先端部７４が、支持部４１ｃの第１側部４１ｃ１から開口部４１ｄを通過して第２側部４１ｃ２に覆い被さるように構成されている。つまり、第１接触突起７４ａが第２側部４１ｃ２の側に在り、第２接触突起７４ｂが第１側部４１ｃ１の側に在る。このように支持部４１ｃによって差込端子７０，７１が支持されることで、もしも差込端子７０，７１の先端から固定部７２の向きに力が加わっても、先端部７４が支持部４１ｃに突き当たるので、リード部７３が座屈するのが防がれる。ここでは開口部４１ｄが形成されているが、開口部４１ｄの代わりに切欠きを支持部４１ｃに形成してもよい。
【００４２】
（２−３）端子保持部材８０
図１２には、ストリーマ放電ユニット４０が本体１１に取り付けられた状態が示されている。ストリーマ放電ユニット４０の差込端子７０，７１が差し込まれる端子保持部材８０が本体１１に設けられている。図１２に示されている状態は、端子保持部材８０が差込端子７０，７１を保持する保持状態であり、この保持状態では端子保持部材８０と差込端子７０，７１との電気的な接続が行われている。図１３には、保持状態の差込端子７０と端子保持部材８０とが拡大して示されている。保持状態では、第１接触突起７４ａが端子保持部材８０の第１平板部８１に当接し、第２接触突起７４ｂが端子保持部材８０の第２平板部８２に当接している。さらに詳しくは、保持状態で、第１平板部８１の平面８１ａ（図１５参照）に第１接触突起７４ａが当接し、第２平板部８２の平面８２ａ(図１５参照)に第２接触突起７４ｂが当接する。このような保持状態において、平面８１ａと平面８１ｂが実質的に平行になる。
【００４３】
このような保持状態では、図１３に矢印Ａｒ１，Ａｒ２で示されている方向に、第１平板部８１と第２平板部８２とを繋ぐ端子保持部材８０の接続部８３が窄まろうとする。その結果、第１平板部８１が、第１接触突起７４ａの頂部７４ａａ（図９参照）を、リード部７３の方向（矢印Ａｒ１の方向）に押し、第２平板部８２が、第２接触突起７４ｂの頂部７４ｂａ（図９参照）を、リード部７３の方向（矢印Ａｒ２の方向）に押すことになる。
【００４４】
端子保持部材８０については、図１４に斜め上方から見た外観が示され、図１５に平面視における形状が示され、図１６に正面から見た形状が示され、図１７に側面から見た形状が示されている。端子保持部材８０は、上面視において、前方が開いたＣ字形の接続部８３の前方からさらに第１平板部８１及び第２平板部８２が延びている。第１平板部８１及び第２平板部８２の差込方向の長さは、例えば４ｍｍ〜１０ｍｍ程度であり、高さは、例えば９ｍｍ〜１５ｍｍ程度である。第１平板部８１及び第２平板部８２の前方には、第１平板部８１及び第２平板部８２の距離よりも前方が広がるように挿入端部８４が形成されている。挿入端部８４は、第１平板部８１から第２平板部８２とは反対側に延びる部分と、第２平板部８２から第１平板部８１とは反対側に延びる部分とからなる。挿入端部８４が前方に向って開いていることで差込端子７０，７１が挿入し易くなっている。接続部８３の後方には、コネクタ端子８５が上方に向かって延びている。このコネクタ端子８５が電源に接続されているコネクタに差し込まれる。
【００４５】
第１平板部８１及び第２平板部８２は、差込端子７０，７１を保持している保持状態では第１平板部８１の平面８１ａ及び第２平板部８２の平面８２ａが実質的に平行になっているが、差込端子７０，７１が挿入される前の状態では平面８１ａと平面８２ａの前方が窄まっている。差込端子７０，７１は、このような状態の平面８１ａと平面８２ａを押し広げるようにして挿入される。平面８１ａと平面８２ａが押し広げられる際に接続部８３が弾性変形するので、接続状態では弾性変形した接続部８３が元に戻ろうとする力によって第１接触突起７４ａ及び第２接触突起７４ｂを押す方向に第１平板部８１及び第２平板部８２が付勢される。
【００４６】
第１平板部８１、第２平板部８２及び接続部８３は、同じ板厚の同じ材料の金属板を曲げ加工されて形成されるが、接続部８３の低剛性部位８３ａの高さが第１平板部８１及び第２平板部８２の高さより低くなっていることによって、低剛性部位８３ａの剛性が第１平板部８１及び第２平板部８２よりも低くなっている。このような金属板としては、例えば差込端子７０，７１と同様のステンレス板を用いることができる。低剛性部位８３ａの高さは、例えば第１平板部８１及び第２平板部８２のうちの低い方の３分の１〜１．５分の１程度であって３ｍｍ〜１０ｍｍ程度である。このような低剛性部位８３ａが接続部８３に設けられているので、保持状態において第１平板部８１及び第２平板部８２の変形が抑制されて差込端子７０，７１の良好な保持が行える。
【００４７】
保持状態において第１平板部８１の平面８１ａ及び第２平板部８２の平面８２ａが実質的に平行になるので、図１３に破線で示したように差込端子７０，７１の先端部７４が前後にずれても端子保持部材８０は同じ状態で先端部７４を保持することができる。そのため、差込端子７０，７１の形状が設計変更されて第１接触突起７４ａと第２接触突起７４ｂのズレ量などが多少変更されても同じ端子保持部材８０を用いることができるケースが増える。
【００４８】
また、図５に示されているように、差込端子７０，７１は、それぞれ２つずつ設けられている。２つの差込端子７０は、それら先端部７４が平面視において差込方向に対して線対称の形になる。また、２つの差込端子７１についても同様である。つまり、２つの先端部７４は、平面視において一方がＳ字形で他方が逆Ｓ字形を呈する。このような場合であっても、２つの差込端子７０に対して別形状の端子保持部材８０を準備する必要は無く、同じ形状の端子保持部材８０で対応することができる。
【００４９】
（３）変形例
（３−１）変形例１Ａ
上記実施形態では、第１接触突起７４ａと第２接触突起７４ｂが１つずつの場合について説明したが、第１接触突起及び／または第２接触突起が複数設けられるように構成されてもよい。
【００５０】
（３−２）変形例１Ｂ
上記実施形態では、金属板をＳ字形または逆Ｓ字形に折り曲げることによって第１接触突起７４ａと第２接触突起７４ｂを形成する場合について説明したが、第１接触突起と第２接触突起の形成方法はこのような方法に限られるものではない。例えば、先端部を形成する際にリード部よりも幅広に打ち抜いた金属板の２箇所の幅広部分を異なる側面の側に折り曲げて形成してもよい。
【００５１】
（３−３）変形例１Ｃ
上記実施形態では、端子保持部材８０の接続部８３の高さを第１平板部８１及び第２平板部８２の高さよりも低くすることにより低剛性部位８３ａを形成したが、低剛性部位の形成方法はこのような方法に限られるものではなく、例えば低剛性部位の板厚を他の部分より薄くすることで形成してもよい。
【００５２】
（３−４）変形例１Ｄ
上記実施形態では、電気機器の例として空気清浄機１０を例に挙げて説明したが、本発明は空調機器に適しており、空気清浄機以外の空気調和機などの他の空調機器に適用することができる。
【００５３】
（４）特徴
（４−１）
以上説明したように、ストリーマ放電ユニット４０の差込端子７０，７１と本体１１の端子保持部材８０は、差込方向において前後にずれて配置されている第１接触突起７４ａと第２接触突起７４ｂの頂部７４ａａ，７４ｂａを保持状態で押すように第１平板部８１及び第２平板部８２が接続部８３によって付勢されている。また、差込端子７０，７１を端子保持部材８０に繰り返し抜き差しできるように構成されている。その結果、例えば図１３を用いて説明したように、第１接触突起７４ａと第２接触突起７４ｂの頂部７４ａａ，７４ｂａの位置関係が異なる複数種類の差込端子７０，７１に対して端子保持部材８０の融通性が高くなり、端子保持部材８０の共通化を図り易くなる。それにより、差込端子７０，７１と端子保持部材８０のコストの削減を図り、電気機器である空気清浄機１０のコストの削減を図ることができる。
【００５４】
（４−２）
また、第１平板部８１の平面８１ａと第２平板部８２の平面８２ａが保持状態で互いに実質的に平行になるように構成されていることから、差込方向において前後にずれて配置されている第１接触突起７４ａと第２接触突起７４ｂの頂部７４ａａ，７４ｂａが多少ずれても（ずれ量が多少変化しても）同じような保持状態で頂部７４ａａ，７４ｂａを押接することが簡単に実現できる。また、第１接触突起７４ａと第２接触突起７４ｂがＳ字形と逆Ｓ字形など対称な形のものに対しても、同じ形状の端子保持部材８０を用いて同じような保持状態で頂部７４ａａ，７４ｂａを押接することが簡単に実現できる。
【００５５】
（４−３）
端子保持部材８０は、保持状態で低剛性部位が弾性変形することにより差込端子を挟む方向に第１平板部及び第２平板部に付勢するように構成されていることから、差込端子の保持状態における第１平板部及び第２平板部の変形を抑制できる。その結果、端子保持部材８０により差込端子７０，７１を安定して保持させることができる。
【００５６】
（４−４）
第１平板部８１と第２平板部８２よりも低剛性の低剛性部位８３ａが形成された接続部８３を第１平板部８１と第２平板部８２とともに第１金属板部材である例えばステンレス板により容易に実現することができる。従って、端子保持部材８０の製造コストを削減して端子保持部材８０に要するコストを削減できる。
【００５７】
（４−５）
平面視Ｓ字形の形状または逆Ｓ字形の形状により設けられた第１接触突起７４ａと第２接触突起７４ｂとを先端部７４に有する第２金属板部材であるステンレス板を差込端子７０，７１が含む。言い換えると、１枚のステンレス板部材で、差込端子７０，７１の先端部７４に第１接触突起７４ａ及び第２接触突起７４ｂが形成できる。第１接触突起７４ａ及び第２接触突起７４ｂの頂部７４ａａ，７４ａｂの位置関係のズレに対して許容範囲が大きくなるので、例えばプレス成形などによって簡単に成形でき、差込端子７０，７１についてのコスト削減が容易になる。
【００５８】
（４−６）
ケーシング４１の支持部４１ｃでは、Ｓ字形または逆Ｓ字形の第２金属板部材であるステンレス板が第１側部４１ｃ１から開口部４１ｄを通って反対の第２側部４１ｃ２に覆い被さるように構成されていることから、第２金属板部材であるステンレス板の強度を下げることができる。その結果、ステンレス板で形成される差込端子７０，７１のコスト削減が容易になる。
【００５９】
（４−７）
放電板４２で放電を行うための高電圧が差込端子７０，７１及び端子保持部材８０を通じて供給されるが、Ｓ字形または逆Ｓ字形の先端部７４よりも長いリード部７３によって端子保持部材８０を本体１１の奥深くに配置できるので、安全性を高めることができる。上記実施形態の例では、リード部７３の差込方向の長さが先端部７４の長さの５倍から２０倍程度である。
【００６０】
（４−８）
ストリーマ放電ユニット４０のケーシング４１の中を通って機器内部から外部に向って吹出す空気に供給する活性種を放電板４２が放電によって発生する。ケーシング４１の中への送風のためのファンロータ３１の駆動などによってケーシング４１が振動しても、差込方向において前後にずれて配置されている第１接触突起７４ａと第２接触突起７４ｂの頂部７４ａａ，７４ｂａを押すように第１平板部８１及び第２平板部８２が付勢されていることによって良好な電気的接続が保たれる。また、送風のために多くの開口部４１ｄが形成されて強度が低くなる傾向のあるケーシング４１の抜き差しに必要な力を抑制できるので、ケーシング４１のコスト削減も容易になる。その結果、ストリーマ放電ユニット４０による活性種の安定した供給を保ちつつ差込端子７０，７１と端子保持部材８０とケーシング４１のコスト削減を図ることができる。
【符号の説明】
【００６１】
１０  空気清浄機
４０  ストリーマ放電ユニット
４１  ケーシング
４１ｃ  支持部
４２  放電板
４３  アース板
７０，７１  差込端子
７３  リード部
７４  先端部
７４ａ  第１接触突起
７４ｂ  第２接触突起
８０  端子保持部材
８１  第１平板部
８２  第２平板部
８３  接続部
【先行技術文献】
【特許文献】
【００６２】
【特許文献１】特開２０１３−１１３９５号公報
【図１】
2019040831.tif 000003
【図２】
2019040831.tif 000004
【図３】
2019040831.tif 000005
【図４】
2019040831.tif 000006
【図５】
2019040831.tif 000007
【図６】
2019040831.tif 000008
【図７】
2019040831.tif 000009
【図８】
2019040831.tif 000010
【図９】
2019040831.tif 000011
【図１０】
2019040831.tif 000012
【図１１】
2019040831.tif 000013
【図１２】
2019040831.tif 000014
【図１３】
2019040831.tif 000015
【図１４】
2019040831.tif 000016
【図１５】
2019040831.tif 000017
【図１６】
2019040831.tif 000018
【図１７】
2019040831.tif 000019